(57)【要約】【課題】安価に原稿を反転して搬送することができる原稿送り装置を提供することである。【解決手段】原稿送り装置１４は、原稿トレイ２５と、画像読取り部１５と、排出トレイ３１と、原稿を搬送する給紙ローラ２６および読込ローラ２８と、画像読取り部１５により読取られる原稿の一方面と他方面とを、原稿送入および原稿送出することにより反転させる反転手段とを備える。反転手段は、相互に当接または離間可能な対向する調整ローラ２９および反転ローラ３３と、調整ローラ２９および反転ローラ３３を、原稿送入時には離間させ、原稿送出時には当接させるよう制御する制御手段と、一方方向に回転し、反転ローラ３３を駆動する駆動モータ２７とを含む。【選択図】図２
2009256009.tif 000002
【特許請求の範囲】
【請求項１】
搬送する原稿をセットする原稿トレイと、前記原稿トレイにセットされた原稿の読取りを行う画像読取り部と、前記画像読取り部により読取られた原稿を排出する排出トレイと、前記原稿トレイから前記画像読取り部を経由して前記排出トレイまで原稿を搬送する搬送手段と、前記画像読取り部により読取られる原稿の一方面と他方面とを、原稿送入および原稿送出することにより反転させる反転手段とを備える原稿送り装置であって、
前記反転手段は、相互に当接または離間可能な対向する一対のローラと、
前記一対のローラを、原稿送入時には離間させ、原稿送出時には当接させるよう制御する制御手段と、
一方方向に回転し、前記一対のローラを駆動する駆動モータとを含む、原稿送り装置。
【請求項２】
前記搬送手段は、前記画像読取り部にて原稿を搬送するローラを含み、
前記反転手段は、前記制御手段により前記一対のローラを離間させて生じた隙間へ、前記搬送手段により原稿を送入され、前記隙間へ送入された原稿の後端部が前記搬送手段と接した状態で、前記制御手段により前記一対のローラを当接させて前記隙間を閉じ、さらに、前記隙間へ原稿を送入された経路とは異なる搬送経路で、原稿の後端を先頭として、前記一対のローラにより原稿を送出させて反転させる、請求項１に記載の原稿送り装置。
【請求項３】
前記制御手段は、前記一対のローラのうち、一方のローラを他方のローラに近づく方向に移動して前記一対のローラを当接させ、一方のローラを他方のローラから遠ざかる方向に移動して前記一対のローラを離間させるよう制御する、請求項１または２に記載の原稿送り装置。
【請求項４】
前記一対のローラのうち、一方のローラは、弾性部材から形成されている、請求項１〜３のいずれかに記載の原稿送り装置。
【請求項５】
前記反転手段は、原稿送入時に原稿を案内する案内手段を含む、請求項１〜４のいずれかに記載の原稿送り装置。
【請求項６】
前記案内手段は、前記一対のローラと連動して動作する、請求項５に記載の原稿送り装置。
【請求項７】
請求項１〜６のいずれかに記載の原稿送り装置と、
前記原稿送り装置により搬送された原稿に基づいて画像を形成する画像形成部とを備える、画像形成装置。
【発明の詳細な説明】
【技術分野】
【０００１】
この発明は、原稿送り装置および画像形成装置に関し、特に、両面原稿を反転して搬送することができる原稿送り装置、およびこのような原稿送り装置を備える画像形成装置に関するものである。
【背景技術】
【０００２】
画像形成装置には、原稿トレイにセットされた原稿を、原稿の読取りを行う画像読取り部に自動的に搬送するＡＤＦ（Ａｕｔｏ  Ｄｏｃｕｍｅｎｔ  Ｆｅｅｄｅｒ）等の原稿送り装置が具備されている。画像形成装置は、原稿送り装置により画像読取り部に搬送された原稿に基づいて画像を形成する。
【０００３】
昨今の原稿送り装置においては、表面である一方面および、裏面である他方面に画像が形成された両面原稿を画像読取り部にて読取ることができるよう、自動的に両面原稿を反転して一方面および他方面を画像読取り部に搬送することができる装置がある。
【０００４】
このような原稿送り装置は、例えば、特開２００４−３５２４３４号公報（特許文献１）に開示されている。図１４は、特許文献１に記載されている従来の原稿送り装置１０１の一例を示す図である。図１４を参照して、自動的に両面原稿１１０を反転して一方面および他方面を画像読取り部１０４に搬送する場合について説明する。
【０００５】
まず、原稿トレイ１０２に両面原稿１１０がセットされる。このとき、一方面を上に、他方面を下にしてセットされる。そして、両面原稿１１０は、給紙ローラ１０９により１枚ずつ給紙され、搬送ドラム１０６により点線の矢印で示す方向に画像読取り部１０４まで搬送される。このとき、給紙ローラ１０９は、時計回り、すなわち、図１４中の矢印Ｂで示す方向に回転する。また、搬送ドラム１０６は、反時計回り、すなわち、図１４中の矢印Ａで示す方向に回転する。そして、読取り位置１１１にて一方面の読取りが行われる。
【０００６】
一方面の読取りが終了すると、両面原稿１１０は、反転ローラ１０３により一点鎖線の矢印で示す方向にＰ２で示す位置まで搬送される。このとき、反転ローラ１０３は反時計回りに回転する。Ｐ２に到達すると、これまでの後端を先頭として、反転ローラ１０３により実線の矢印で示す方向にＰ２から搬送ドラム１０６へ搬送される。ここで、一方面と他方面とが反転して搬送される。このとき、反転ローラ１０３は時計回りに回転する。そして、画像読取り部１０４まで搬送されて、読取り位置１１１にて他方面の読取りが行われる。
【０００７】
他方面の読取りが終了すると、両面原稿１１０は、上記と同様に、反転ローラ１０３によりＰ２まで搬送され、Ｐ２から搬送ドラム１０６へ搬送される。ここで、他方面と一方面とが反転して搬送される。そして、画像読取り部１０４まで搬送されるが、ここでは、既に一方面の読取りを終了しているため、読取り位置１１１にて一方面の読取りを行わない。そして、両面原稿１１０は、二点鎖線の矢印で示す方向に排出トレイ１０５に排出される。このとき、一方面を下に、他方面を上にして排出される。
【０００８】
このようにして従来は、反転ローラ１０３が時計回りおよび反時計回りの正逆方向に回転することにより、両面原稿１１０を反転して一方面および他方面を画像読取り部１０４に搬送する。なお、反転ローラ１０３は、搬送モータ１０７によってその回転を制御されている。
【特許文献１】特開２００４−３５２４３４号公報（図１）
【発明の開示】
【発明が解決しようとする課題】
【０００９】
特許文献１によると、原稿を反転するには、反転ローラを正逆方向に回転させている。反転ローラを正逆方向に回転させるには、その回転を制御する搬送モータを正逆方向に回転させる必要がある。この場合、正逆方向に回転可能なモータを必要とするため、このような原稿送り装置は、高価になってしまう虞がある。また、正逆方向に回転可能なモータを使用しない場合には、少なくとも正方向と逆方向とそれぞれの方向に回転する２種類のモータを必要とする。このような原稿送り装置においても同様に、高価になってしまう虞がある。
【００１０】
この発明の目的は、安価に原稿を反転して搬送することができる原稿送り装置を提供することである。
【００１１】
この発明の他の目的は、安価に原稿を反転して搬送することができる画像形成装置を提供することである。
【課題を解決するための手段】
【００１２】
この発明に係る原稿送り装置は、搬送する原稿をセットする原稿トレイと、原稿トレイにセットされた原稿の読取りを行う画像読取り部と、画像読取り部により読取られた原稿を排出する排出トレイと、原稿トレイから画像読取り部を経由して排出トレイまで原稿を搬送する搬送手段と、画像読取り部により読取られる原稿の一方面と他方面とを、原稿送入および原稿送出することにより反転させる反転手段とを備える。反転手段は、相互に当接または離間可能な対向する一対のローラと、一対のローラを、原稿送入時には離間させ、原稿送出時には当接させるよう制御する制御手段と、一方方向に回転し、一対のローラを駆動する駆動モータとを含む。
【００１３】
好ましくは、搬送手段は、画像読取り部にて原稿を搬送するローラを含む。反転手段は、制御手段により一対のローラを離間させて生じた隙間へ、搬送手段により原稿を送入され、隙間へ送入された原稿の後端部が搬送手段と接した状態で、制御手段により一対のローラを当接させて隙間を閉じ、さらに、隙間へ原稿を送入された経路とは異なる搬送経路で、原稿の後端を先頭として、一対のローラにより原稿を送出させて反転させる。
【００１４】
さらに好ましくは、制御手段は、一対のローラのうち、一方のローラを他方のローラに近づく方向に移動して一対のローラを当接させ、一方のローラを他方のローラから遠ざかる方向に移動して一対のローラを離間させるよう制御する。
【００１５】
さらに好ましくは、一対のローラのうち、一方のローラは、弾性部材から形成されている。
【００１６】
さらに好ましくは、反転手段は、原稿送入時に原稿を案内する案内手段を含む。
【００１７】
さらに好ましくは、案内手段は、一対のローラと連動して動作する。
【００１８】
この発明の他の局面においては、画像形成装置は、上記のいずれかに記載の原稿送り装置と、原稿送り装置により搬送された原稿に基づいて画像を形成する画像形成部とを備える。
【発明の効果】
【００１９】
この発明に係る原稿送り装置は、一対のローラを、原稿送入時には離間させ、原稿送出時には当接させることにより原稿を反転する。一対のローラは、一方方向に回転する駆動モータで駆動する。これにより、正逆方向に回転するモータを必要とせず、一方方向に回転するモータのみで原稿を反転することができる。したがって、安価に原稿を反転して搬送することができる。
【００２０】
この発明に係る画像形成装置は、上記した原稿送り装置を備えるため、安価に原稿を反転して搬送することができる。
【発明を実施するための最良の形態】
【００２１】
以下、この発明の実施の形態を図面を参照して説明する。図１は、この発明の一実施形態に係る原稿送り装置１４を備える画像形成装置をデジタル複合機１０に適用した場合のデジタル複合機１０の構成を示すブロック図である。図１を参照して、デジタル複合機１０は、デジタル複合機１０全体を制御する制御部１１と、画像データ等の書き込みや読出しを行うためのＤＲＡＭ１２と、デジタル複合機１０の有する情報を表示する表示画面を含み、デジタル複合機１０におけるユーザとのインターフェースとなる操作部１３と、原稿を自動的に所定の読取り位置へ搬送し、搬送された原稿をスキャナで読取る画像読取り部１５を含む原稿送り装置１４と、画像読取り部１５で読取られた原稿等から画像を形成し、用紙に出力する画像形成部１６と、画像データ等を格納するハードディスク１７と、公衆回線２０に接続されるＦＡＸ通信部１８と、ネットワーク２１と接続するためのネットワークＩＦ（インターフェース）部１９とを備える。
【００２２】
デジタル複合機１０は、画像読取り部１５により読取られた原稿の画像データを用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンターとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読取られた原稿の画像データを、ＦＡＸ通信部１８を通じて公衆回線２０に画像データを送信することにより、ファクシミリ装置として作動する。すなわち、デジタル複合機１０は、画像処理に関し、複写（コピー）機能、プリンター機能、ＦＡＸ機能等、複数の機能を有する。さらに、各機能に対しても、さらに詳細に設定可能な機能を有する。
【００２３】
なお、図１において、太線の矢印は画像データの流れを示しており、細線の矢印は制御信号または制御データの流れを示している。
【００２４】
制御部１１は、画像読取り部１５から与えられる原稿の画像データをＤＲＡＭ１２に圧縮符号化して書き込み、ＤＲＡＭ１２に書き込んだデータを読出し、伸張復号化して画像形成部１６により出力する。
【００２５】
図２は、原稿送り装置１４の詳細を示す図である。図２中の点線の矢印は、原稿の搬送方向を示している。図１〜図２を参照して、原稿送り装置１４は、搬送する原稿をセットする原稿トレイ２５と、原稿トレイ２５にセットされた原稿の読取りを行う画像読取り部１５と、画像読取り部１５により読取られた原稿を排出する排出トレイ３１と、原稿トレイ２５にセットされた原稿を１枚ずつ給紙する給紙ローラ２６と、給紙ローラ２６により給紙された原稿を、画像読取り部１５を経由して、排出トレイ３１まで搬送する読込ローラ２８と、読込ローラ２８により搬送される原稿の搬送経路上であって、原稿トレイ２５と排出トレイ３１との間に位置し、相互に当接および離間可能な一対のローラ２９，３３と、原稿を案内する搬送ガイド板３０と、給紙ローラ２６、読込ローラ２８および一対のローラ２９，３３のうちの他方のローラ３３を駆動する駆動モータ２７とを備える。
【００２６】
給紙ローラ２６は、図２中の矢印Ｂで示す方向、すなわち、図２においては時計回りに回転される。そして、原稿トレイ２５にセットされた原稿を１枚ずつ給紙する。
【００２７】
読込ローラ２８は、図２中の矢印Ａで示す方向、すなわち、図２においては反時計回りに回転される。読込ローラ２８の周囲には、所定の間隔で読込ローラ２８に従動して回転する複数の従動ローラが配置されている。読込ローラ２８は、給紙ローラ２６により給紙された原稿を、画像読取り部１５を経由して、排出トレイ３１まで搬送する。ここで、給紙ローラ２６および読込ローラ２８は、搬送手段として作動する。
【００２８】
一対のローラ２９，３３は、一方の調整ローラ２９と、他方の反転ローラ３３から構成される。反転ローラ３３は、読込ローラ２８と同じ方向、すなわち、反時計回りに回転される。調整ローラ２９は、反転ローラ３３に対向する位置に設けられ、弾性部材から形成されている。調整ローラ２９は、上下方向に移動可能である。図２中の点線で上方向に移動した状態を示し、実線で下方向に移動した状態を示している。
【００２９】
調整ローラ２９が上方向に移動して反転ローラ３３から遠ざかると、調整ローラ２９と反転ローラ３３とは離間して、図２中のＰ１で示す隙間Ｐ１が生じる。このとき、読込ローラ２８により隙間Ｐ１へ原稿を送入することが可能となる。また、調整ローラ２９が下方向に移動して反転ローラ３３に近づくと、調整ローラ２９と反転ローラ３３とは当接して、上記において生じた隙間Ｐ１を閉じる。このとき、調整ローラ２９は、反転ローラ３３の回転に伴って反転ローラ３３と逆の方向に回転する。すなわち、時計回りに回転する。そうすると、隙間Ｐ１へ原稿が送入されている場合、原稿は、調整ローラ２９および反転ローラ３３と当接することにより、原稿の後端を先頭として、隙間Ｐ１から読込ローラ２８側へ送出することが可能となる。ここで、調整ローラ２９および反転ローラ３３は、制御手段として作動する。
【００３０】
搬送ガイド板３０は、調整ローラ２９と連動して上下方向に移動可能である。すなわち、調整ローラ２９が上方向に移動すると、搬送ガイド板３０も上方向に移動し、調整ローラ２９が下方向に移動すると、搬送ガイド板３０も下方向に移動する。なお、図２中の点線で上方向に移動した状態を示し、実線で下方向に移動した状態を示している。搬送ガイド板３０は、上方向に移動すると、上記した調整ローラ２９と反転ローラ３３との隙間Ｐ１へ原稿を案内する。すなわち、搬送ガイド板３０は、原稿送入時に原稿を案内する。また、搬送ガイド板３０は、下方向に移動すると、排出トレイ３１へ原稿を案内する。ここで、搬送ガイド板３０は、案内手段として作動する。
【００３１】
駆動モータ２７は、一方方向に回転して、給紙ローラ２６、読込ローラ２８および反転ローラ３３を駆動する。これにより、原稿送り装置１４は、複数のモータを設ける必要がないため、安価に原稿を搬送することができる。
【００３２】
画像読取り部１５は、読込ローラ２８等の下部に設けられている。画像読取り部１５は、いずれも図示しない光源と、複数のミラーと、レンズと、ＣＣＤ（Ｃｈａｒｇｅ  Ｃｏｕｐｌｅｄ  Ｄｅｖｉｃｅ）イメージセンサとを含む。画像読取り部１５は、読込ローラ２８により搬送される原稿の画像を読取り位置３２にて読取る。具体的には、光源が読取り位置３２に対して光を照射すると、照射された光は、読取り位置３２にて搬送される原稿に当たって反射する。その反射光は、複数のミラーおよびレンズによって集光される。この集光された光を、ＣＣＤイメージセンサで読取る。このようにして、画像読取り部１５は、原稿の画像を読取り位置３２にて読取る。
【００３３】
ここで、デジタル複合機１０を利用して、表面と裏面に画像が形成された両面原稿を反転して搬送する場合について説明する。図３は、デジタル複合機１０を利用して、両面原稿３５を反転して搬送する場合の動作を示すフローチャートである。図１〜図３を参照して、まず、原稿トレイ２５に両面原稿３５がセットされる（図３において、ステップＳ１１、以下ステップを省略する）。このとき、両面原稿３５の表面である一方面を面Ｓ１、裏面である他方面を面Ｓ２とすると、面Ｓ１を上に、面Ｓ２を下にしてセットされる。そして、両面原稿３５の画像形成の要求を受け付ける。このとき、搬送ガイド板３０および調整ローラ２９は、上方向に移動する（Ｓ１２）。そうすると、調整ローラ２９と反転ローラ３３とが離間して、隙間Ｐ１が生じる（Ｓ１３）。
【００３４】
そして、両面原稿３５が、給紙ローラ２６により給紙される（Ｓ１４）。このとき、両面原稿３５の両端部を給紙方向に、端部Ｃ、端部Ｄとすると、両面原稿３５は、端部Ｃを先頭とし、端部Ｄを後にして給紙される。なお、図４は、両面原稿３５が給紙ローラ２６により給紙される状態を示す図である。
【００３５】
そして、両面原稿３５が、引き続き読込ローラ２８により搬送される（Ｓ１５）。このとき、面Ｓ１を読取り側にして搬送される。両面原稿３５が、画像読取り部１５に搬送されると、画像読取り部１５は、両面原稿３５の画像形成が他方面である裏面から行われるために、ここでは、面Ｓ１の読取りを行わない（Ｓ１６）。なお、図５は、両面原稿３５が画像読取り部１５に搬送された状態を示す図である。
【００３６】
そして、そのまま両面原稿３５は、搬送ガイド板３０に案内され、読込ローラ２８により、ステップ１３において生じた調整ローラ２９と反転ローラ３３との隙間Ｐ１へ送入される（Ｓ１７）。このとき、両面原稿３５は、隙間Ｐ１によって反転ローラ３３の回転の影響を受けることなく送入される。なお、図６は、両面原稿３５が隙間Ｐ１へ送入されている状態を示す図である。
【００３７】
ここで、両面原稿３５の端部Ｄは、読込ローラ２８と接した状態でそのまま読込ローラ２８が回転する方向、すなわち、図６中の矢印Ａで示す方向に移動する。具体的には、両面原稿３５の端部Ｄは、読込ローラ２８と接した状態で、読込ローラ２８の下部から上部に向かって移動する。
【００３８】
そして、両面原稿３５の端部Ｄが読込ローラ２８と接した状態で、搬送ガイド板３０および調整ローラ２９が下方向に移動する（Ｓ１８）。そうすると、ステップ１３において生じた調整ローラ２９と反転ローラ３３との隙間Ｐ１を閉じ、隙間Ｐ１へ送入された両面原稿３５は、調整ローラ２９および反転ローラ３３と当接する。これにより、両面原稿３５の隙間Ｐ１へ送入は止まる。なお、図７は、隙間Ｐ１への送入が止まった状態を示す図である。
【００３９】
そして、両面原稿３５は、調整ローラ２９および反転ローラ３３により端部Ｄを先頭として、隙間Ｐ１へ送入された経路とは異なる搬送経路に送出される（Ｓ１９）。具体的には、読込ローラ２８の上部に送出される。なお、図８は、両面原稿３５が、端部Ｄを先頭として送出される状態を示す図である。そして、両面原稿３５は、引き続き読込ローラ２８により搬送される（Ｓ２０）。このとき、面Ｓ２を読取り側にして搬送される。すなわち、両面原稿３５は、ステップ１５の場合と、面Ｓ１と面Ｓ２とを反転されて搬送されている。ここで、制御部１１、読込ローラ２８、調整ローラ２９および反転ローラ３３は、反転手段として作動する。
【００４０】
そして、両面原稿３５が、端部Ｄを先頭として、読込ローラ２８により再度画像読取り部１５に搬送されると、画像読取り部１５は、読取り位置３２にて面Ｓ２の読取りを行う（Ｓ２１）。なお、図９は、面Ｓ２の読取りを行う状態を示す図である。面Ｓ２の読取りが終了すると、ここでは、まだ面Ｓ１の読取りが終了していないため（Ｓ２２において、ＮＯ）、搬送ガイド板３０および調整ローラ２９は、上方向に移動する（Ｓ２３）。そうすると、調整ローラ２９と反転ローラ３３とが離間して、隙間Ｐ１が生じる（Ｓ２４）。
【００４１】
両面原稿３５は、上記と同様に、搬送ガイド板３０に案内され、読込ローラ２８により隙間Ｐ１へ送入される（Ｓ１７）。なお、図１０は、両面原稿３５が隙間Ｐ１へ送入されている状態を示す図である。そして、両面原稿３５の端部Ｃが読込ローラ２８と接した状態で、搬送ガイド板３０および調整ローラ２９が下方向に移動する（Ｓ１８）。そうすると、ステップ２４において生じた調整ローラ２９と反転ローラ３３との隙間Ｐ１を閉じ、隙間Ｐ１へ送入された両面原稿３５は、調整ローラ２９および反転ローラ３３と当接する。
【００４２】
そして、両面原稿３５は、調整ローラ２９および反転ローラ３３により端部Ｃを先頭として、隙間Ｐ１へ送入された経路とは異なる搬送経路に送出される（Ｓ１９）。なお、図１１は、両面原稿３５が、端部Ｃを先頭として送出される状態を示す図である。そして、両面原稿３５は、引き続き読込ローラ２８により搬送される（Ｓ２０）。このとき、面Ｓ１を読取り側にして搬送される。すなわち、両面原稿３５は、上記と同様に、面Ｓ１と面Ｓ２とを反転されて搬送されている。
【００４３】
そして、両面原稿３５は、端部Ｃを先頭として、読込ローラ２８により再度画像読取り部１５に搬送されると、画像読取り部１５は、読取り位置３２にて面Ｓ１の読取りを行う（Ｓ２１）。なお、図１２は、面Ｓ１の読取りを行う状態を示す図である。面Ｓ１の読取りが終了すると、面Ｓ１および面Ｓ２の両面の読取りが終了しているため（Ｓ２２において、ＹＥＳ）、搬送ガイド板３０に案内されて、排出トレイ３１に両面原稿３５が排出される（Ｓ２５）。このとき、面Ｓ１を下に、面Ｓ２を上にして排出される。なお、図１３は、両面原稿３５が、搬送ガイド板３０によって排出トレイ３１に案内される状態を示す図である。
【００４４】
こうすることにより、原稿送り装置１４は、一対のローラ、すなわち、調整ローラ２９および反転ローラ３３を、原稿送入時には離間させ、原稿送出時には当接させることにより原稿を反転する。反転ローラ３３は、一方方向に回転する駆動モータ２７で駆動する。これにより、正逆方向に回転するモータを必要とせず、一方方向に回転するモータのみで原稿を反転することができる。したがって、安価に原稿を反転して搬送することができる。
【００４５】
また、デジタル複合機１０は、上記した原稿送り装置１４を備えるため、安価に両面原稿３５を反転して搬送することができる。
【００４６】
なお、上記の実施の形態においては、調整ローラ２９が上下方向に移動して、反転ローラ３３と離間および当接する例について説明したが、これに限らず、例えば、反転ローラ３３が上下方向に移動することにより、調整ローラ２９と離間および当接してもよい。
【００４７】
また、上記の実施の形態においては、調整ローラ２９は、弾性部材から構成される例について説明したが、これに限らず、原稿と当接した際に、反転ローラ３３と共に適切に原稿を送入および送出できるような部材であれば、他の部材であってもよい。
【００４８】
また、上記の実施の形態においては、搬送ガイド板３０を設ける例について説明したが、原稿送り装置１４が、調整ローラ２９と反転ローラ３３との隙間Ｐ１に原稿を適切に案内することができるような構成であれば、特に設ける必要はない。
【００４９】
また、上記の実施の形態においては、搬送ガイド板３０を下方向に移動させて、排出トレイ３１に原稿を案内する例について説明したが、これに限らず、排出トレイ３１に原稿を案内する手段を他に設けることによって、排出トレイ３１に原稿を案内してもよい。
【００５０】
また、上記の実施の形態においては、搬送ガイド板３０は、調整ローラ２９に連動する例について説明したが、これに限らず、常に連動する必要はない。例えば、排出トレイ３１に原稿を排出する際には、調整ローラ２９は、下方向に移動させる必要はない。
【００５１】
また、上記の実施の形態においては、１枚の両面原稿３５を搬送する例について説明したが、これに限らず、複数枚の両面原稿を搬送する場合にも適用できる。この場合、図３中のステップ２５において、複数枚の両面原稿を排出する場合、１枚目の上に２枚目を積み重ねるようにして排出される。
【００５２】
また、上記の実施の形態においては、調整ローラ２９等が上方向に移動するタイミングを、図３中のステップ１２における両面原稿３５の画像形成の要求を受け付けたタイミングや、ステップ２３における面Ｓ２の読取りを終了したタイミングである例について説明したが、これに限らず、両面原稿３５の読取りを開始するタイミング等、適切に両面原稿３５を反転させることができるようなタイミングであれば、その他のタイミングであってもよい。
【００５３】
また、上記の実施の形態においては、図３中のステップ１６において、両面原稿３５の画像形成の順序のために、一方面の読取りを行わない例について説明したが、これに限らず、一方面の読取りを行ってもよい。この場合、読取った一方面の画像データをＤＲＡＭ１２等に格納し、後に読取った他方面の画像データと画像形成の順序を入れ替えて、両面の画像を形成する。
【００５４】
また、上記の実施の形態においては、一対のローラ２９，３３は、一方の調整ローラ２９と、他方の反転ローラ３３から構成されている例について説明したが、これに限らず、一対のローラのうち、一方の調整ローラ２９は、ローラでなくてもよい。具体的には、一対のローラは、反転ローラ３３と、反転ローラ３３と対向する位置に設けられる部材から構成されてもよい。部材とは、例えば、板状の部材である。これにより、ローラと部材とが離間して、その隙間に原稿を送入することができる。また、ローラと部材とが当接して、ローラの回転力により、隙間に送入された原稿を送出することができる。
【００５５】
また、上記の実施の形態においては、制御部１１は、デジタル複合機１０に備えられる構成の例について説明したが、これに限らず、原稿送り装置１４に備えられる構成としてもよい。
【００５６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００５７】
【図１】この発明の一実施形態に係る原稿送り装置を備える画像形成装置をデジタル複合機に適用した場合のデジタル複合機の構成を示すブロック図である。
【図２】原稿送り装置の詳細を示す図である。
【図３】デジタル複合機を利用して、両面原稿を反転して搬送する場合の動作を示すフローチャートである。
【図４】両面原稿が給紙ローラにより給紙される状態を示す図である。
【図５】両面原稿が画像読取り部に搬送された状態を示す図である。
【図６】両面原稿が隙間へ送入されている状態を示す図である。
【図７】隙間への送入が止まった状態を示す図である。
【図８】両面原稿が、端部Ｄを先頭として送出される状態を示す図である。
【図９】面Ｓ２の読取りを行う状態を示す図である。
【図１０】両面原稿が隙間へ送入されている状態を示す図である。
【図１１】両面原稿が、端部Ｃを先頭として送出される状態を示す図である。
【図１２】面Ｓ１の読取りを行う状態を示す図である。
【図１３】両面原稿が、搬送ガイド板によって排出トレイに案内される状態を示す図である。
【図１４】従来の原稿送り装置の一例を示す図である。
【符号の説明】
【００５８】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２  パソコン、２５  原稿トレイ、２６  給紙ローラ、２７  駆動モータ、２８  読込ローラ、２９  調整ローラ、３０  搬送ガイド板、３１  排出トレイ、３２  読取り位置、３３  反転ローラ、３５  両面原稿。
【図１】
2009256009.tif 000003
【図２】
2009256009.tif 000004
【図３】
2009256009.tif 000005
【図４】
2009256009.tif 000006
【図５】
2009256009.tif 000007
【図６】
2009256009.tif 000008
【図７】
2009256009.tif 000009
【図８】
2009256009.tif 000010
【図９】
2009256009.tif 000011
【図１０】
2009256009.tif 000012
【図１１】
2009256009.tif 000013
【図１２】
2009256009.tif 000014
【図１３】
2009256009.tif 000015
【図１４】
2009256009.tif 000016